(57)【要約】【課題】ＡＦサーチするときに、フィルタの通過帯域幅をＡＦ局の変調度に応じて可変出来る、フィルタ制御装置、フィルタ制御方法、及び、フィルタ制御プログラムを提供する。【課題手段】受信した電波を周波数変換した信号をフィルタリングするフィルタに通過帯域幅を設定することにより、前記フィルタの通過帯域幅を制御するフィルタ制御装置であって、前記フィルタによってフィルタリングされた信号から検出された希望局の変調度を取得し、取得した前記変調度をもとに前記フィルタに設定する前記通過帯域幅を特定する特定手段と、前記希望局の代替局をサーチするときに、前記特定手段が特定した前記通過帯域幅を前記フィルタに設定する設定手段と、を備える。【選択図】図２
2010183371.tif 000002
【特許請求の範囲】
【請求項１】
受信した電波を周波数変換した信号をフィルタリングするフィルタに通過帯域幅を設定することにより、前記フィルタの通過帯域幅を制御するフィルタ制御装置であって、
前記フィルタによってフィルタリングされた信号から検出された希望局の変調度を取得し、取得した前記変調度をもとに前記フィルタに設定する前記通過帯域幅を特定する特定手段と、
前記希望局の代替局をサーチするときに、前記特定手段が特定した前記通過帯域幅を前記フィルタに設定する設定手段と、
を備えることを特徴とするフィルタ制御装置。
【請求項２】
前記特定手段は、
前記フィルタによってフィルタリングされた信号から検出される前記希望局の変調度を取得する変調度取得手段と、
前記希望局に関する情報を取得する情報取得手段と、
前記変調度取得手段が取得した変調度を含む通過帯域幅と前記情報取得手段が取得した前記希望局に関する情報とを対応付けて記憶部に記録する記録手段と、
前記希望局の代替局をサーチするときに、前記希望局に関する情報を取得し、取得した前記希望局に関する情報に対応する前記通過帯域幅を前記記憶部から取得して、取得した前記通過帯域幅をもとに前記フィルタに設定する通過帯域幅を特定する通過帯域幅特定手段と、
を備えることを特徴とする請求項１に記載のフィルタ制御装置。
【請求項３】
前記記録手段は、前記変調度取得手段が取得した変調度を複数回取得し、取得した前記変調度が一定数以上になったとき、取得した複数の前記変調度の中から最大の幅を持つ最大変調度を特定し、特定した前記最大変調度を含む通過帯域幅を前記情報取得手段が取得した前記希望局に関する情報に対応付けて記録することを特徴とする請求項２に記載のフィルタ制御装置。
【請求項４】
前記情報取得手段と前記通過帯域幅特定手段とが取得する前記希望局に関する情報は、前記フィルタによってフィルタリングされた信号から得られる情報であることを特徴とする請求項２又は３に記載のフィルタ制御装置。
【請求項５】
前記情報取得手段と前記通過帯域幅特定手段とが取得する前記希望局に関する情報は、前記希望局の国を特定する国特定情報であり、
前記情報取得手段は、前記フィルタによってフィルタリングされた信号から得られる情報から前記国特定情報を取得するか、グローバル・ポジショニング・システムを用いて特定した前記電波の受信位置に基づいて国特定情報を取得する手段であり、
前記通過帯域幅特定手段は、前記フィルタによってフィルタリングされた信号から得られる情報から前記国特定情報を取得するか、グローバル・ポジショニング・システムを用いて特定した前記電波の受信位置に基づいて国特定情報を取得するか、前記情報取得手段から前記国特定情報を取得する手段であることを特徴とする請求項２又は３に記載のフィルタ制御装置。
【請求項６】
前記希望局の代替局をサーチするサーチ手段をさらに備え、
前記設定手段は、前記サーチ手段が前記希望局の代替局をサーチするときに、前記特定手段が特定した前記通過帯域幅を前記フィルタに設定する手段であることを特徴とする請求項１乃至５のいずれか１項に記載のフィルタ制御装置。
【請求項７】
前記フィルタは、中間周波数フィルタにより構成されることを特徴とする請求項１乃至６のいずれか１項に記載のフィルタ制御装置。
【請求項８】
前記受信した電波を周波数変換する周波数変換手段と、
前記周波数変換手段が周波数変換した信号をデジタル信号に変換するアナログ・デジタル変換手段と、
前記アナログ・デジタル変換手段が変換したデジタル信号をフィルタリングする前記フィルタと、
前記フィルタがフィルタリングした信号を復調する復調手段と、
前記復調手段が復調した信号を音声デジタル信号に変換する音声変換手段と、
前記音声変換手段が変換した音声デジタル信号をアナログ音声信号に変換するデジタル・アナログ変換手段と、をさらに備え、
前記受信した電波を周波数変換した信号は、前記アナログ・デジタル変換手段が変換したデジタル信号であることを特徴とする請求項１乃至７のいずれか１項に記載のフィルタ制御装置。
【請求項９】
前記電波を受信するアンテナをさらに備え、
前記周波数変換手段は、前記アンテナで受信した電波を周波数変換することを特徴とする請求項１乃至８のいずれか１項に記載のフィルタ制御装置。
【請求項１０】
前記アナログ・デジタル変換手段が変換したアナログ音声信号を音声出力するスピーカをさらに備えることを特徴とする請求項１乃至９のいずれか１項に記載のフィルタ制御装置。
【請求項１１】
受信した電波を周波数変換した信号をフィルタリングするフィルタに通過帯域幅を設定することにより、前記フィルタの通過帯域幅を制御するフィルタ制御方法であって、
前記フィルタによってフィルタリングされた信号から検出された希望局の変調度を取得し、取得した前記変調度をもとに前記フィルタに設定する前記通過帯域幅を特定する特定ステップと、
前記希望局の代替局をサーチするときに、前記特定ステップで特定した前記通過帯域幅を前記フィルタに設定する設定ステップと、
を備えることを特徴とするフィルタ制御方法。
【請求項１２】
受信した電波を周波数変換した信号をフィルタリングするフィルタに通過帯域幅を設定することにより、前記フィルタの通過帯域幅を制御するフィルタ制御方法をコンピュータに実行させるフィルタ制御プログラムであって、
前記フィルタによってフィルタリングされた信号から検出された希望局の変調度を取得し、取得した前記変調度をもとに前記フィルタに設定する前記通過帯域幅を特定する特定ステップと、
前記希望局の代替局をサーチするときに、前記特定ステップで特定した前記通過帯域幅を前記フィルタに設定する設定ステップと、
をコンピュータに実行させることを特徴とするフィルタ制御プログラム。
【発明の詳細な説明】
【技術分野】
【０００１】
本発明は、受信した電波を周波数変換した信号をフィルタリングするフィルタの通過帯域幅を制御するフィルタ制御装置、フィルタ制御方法、及び、フィルタ制御プログラムに関する。
【背景技術】
【０００２】
この種の技術として、特許文献１には、希望局の復調されたオーディオ信号の変調度を監視する変調度検出回路を設け、オーディオ信号の変調度が所定の変調度より深くなったときに、フィルタネットワークに対してより広い或いは最も広い通過帯域特性に切り替えるよう制御するラジオ受信装置が開示されている。
【０００３】
また、特許文献２には、ラジオデータシステムの送信データに含まれるエリア識別コードに基づいてエリアを識別する機能を有するラジオ受信機において、エリア識別コードに応じて受信特性を制御するデータを記憶させる記憶手段と、送信データに含まれるエリア識別コードに基づいて前記記憶手段より読み出したデータにより前記受信特性を制御する制御部を備えたことを特徴とするラジオ受信機が開示されている。
【先行技術文献】
【特許文献】
【０００４】
【特許文献１】特開平６−２９８７８号公報
【特許文献２】特開平３−４６２４号公報
【発明の概要】
【発明が解決しようとする課題】
【０００５】
ラジオデータシステム（ＲＤＳ：Radio Data System）等において、ラジオ受信機は現在の希望局の受信状態が悪化すると、希望局よりも受信状態のよい代替局（ＡＦ（Alternative Frequency）局）をサーチ（ＡＦ（Alternative Frequency）サーチ）する。そして、ラジオ受信機は、受信状態の良いＡＦ局を見つけた場合、受信対象をこのＡＦ局に切り換える。すなわち、ラジオ受信機は、このＡＦ局を次の希望局とする。ラジオ受信機は、ＡＦサーチするとき、中間周波数フィルタ（ＩＦ（Intermediate Frequency）フィルタ）の通過帯域幅を所定の通過帯域幅に固定してＡＦ局の受信状態（電界強度及び又はノイズ等）をチェックするようにしていた。しかし、所定の通過帯域幅に固定して受信状態をチェックする場合、ＡＦ局の変調度に対して、通過帯域幅が広すぎたり、狭すぎたりすると、適切なＡＦ局を選択出来ない場合があった。
【０００６】
例えば、ＩＦフィルタに設定する通過帯域幅を最も広い通過帯域幅とすると、ＡＦ局の近傍に隣接局が存在した場合では、ＡＦ局のノイズが隣接妨害のために大きく検出されてしまう。このため、ＡＦ局への切り替えの判断（ＡＦチェック）を、受信したＡＦ局のノイズで判断した場合には、受信が難しいとの判断となってしまう。しかし、この隣接妨害によるノイズがＩＦフィルタの通過帯域幅を狭くすれば十分除去でき、ＡＦ局の放送が聴取可能なレベルである場合には、ＡＦサーチで希望局からＡＦ局に切り替える機会を失ってしまう場合がある。このようなＡＦ局にも移れるようにノイズ判定の閾値を易しく設定することも可能だが、今度は、受信状態の悪い局へも切り替わり易くなってしまう問題が出てくる。このような視聴が困難な局への切り替わりを防止するためにはＡＦサーチの移り先の闇値を厳しく設定し、フィルタの通過帯域幅を狭くして視聴が困難な局へは切り替えないようにするしかない。一方、ＡＦチェック時に固定する帯域幅を狭いフィルタに設定したとすると、上記の隣接妨害があった場合では、ノイズが少なく検出される。このため、ＡＦチェックの結果、受信可能の判断となり、ＡＦチェックで切り替え可能となる。しかし、ＡＦ局の変調度が大きい放送局に同様の狭いフィルタでＡＦチェックしてしまうと、今度はＡＦ局の変調度に対して狭いフィルタが選択されてしまい、受信状態の良いＡＦ局でも帯域がカットされて歪んでしまい、ノイズが大きく検出されて、ＡＦ局への切り替えがうまくいかなくなってしまう。
【０００７】
このため、ＡＦサーチするときに、ＩＦフィルタ等のフィルタの通過帯域幅をＡＦ局の変調度に応じて可変出来ることが望ましい。
【０００８】
特許文献１記載の技術は、オーディオ信号の変調度が所定の変調度より深くなったときに、フィルタネットワークに対してより広い或いは最も広い通過帯域特性に切り替える技術であり、ＡＦサーチするときに、フィルタの通過帯域幅を可変させる技術ではない。
【０００９】
特許文献２記載の技術は、受信特性を制御するのみで、ＡＦサーチするときに、フィルタの通過帯域幅を可変させる技術ではない。
【００１０】
本発明は、上記点に鑑みてなされたものであり、ＡＦサーチするときに、フィルタの通過帯域幅をＡＦ局の変調度に応じて可変出来る、フィルタ制御装置、フィルタ制御方法、及び、フィルタ制御プログラムを提供することを目的とする。
【課題を解決するための手段】
【００１１】
本発明の第１の観点に係るフィルタ制御装置は、
受信した電波を周波数変換した信号をフィルタリングするフィルタに通過帯域幅を設定することにより、前記フィルタの通過帯域幅を制御するフィルタ制御装置であって、
前記フィルタによってフィルタリングされた信号から検出された希望局の変調度を取得し、取得した前記変調度をもとに前記フィルタに設定する前記通過帯域幅を特定する特定手段と、
前記希望局の代替局をサーチするときに、前記特定手段が特定した前記通過帯域幅を前記フィルタに設定する設定手段と、
を備える。
【００１２】
前記特定手段は、
前記フィルタによってフィルタリングされた信号から検出される前記希望局の変調度を取得する変調度取得手段と、
前記希望局に関する情報を取得する情報取得手段と、
前記変調度取得手段が取得した変調度を含む通過帯域幅と前記情報取得手段が取得した前記希望局に関する情報とを対応付けて記憶部に記録する記録手段と、
前記希望局の代替局をサーチするときに、前記希望局に関する情報を取得し、取得した前記希望局に関する情報に対応する前記通過帯域幅を前記記憶部から取得して、取得した前記通過帯域幅をもとに前記フィルタに設定する通過帯域幅を特定する通過帯域幅特定手段と、
を備えてもよい。
【００１３】
前記記録手段は、前記変調度取得手段が取得した変調度を複数回取得し、取得した前記変調度が一定数以上になったとき、取得した複数の前記変調度の中から最大の幅を持つ最大変調度を特定し、特定した前記最大変調度を含む通過帯域幅を前記情報取得手段が取得した前記希望局に関する情報に対応付けて記録してもよい。
【００１４】
前記情報取得手段と前記通過帯域幅特定手段とが取得する前記希望局に関する情報は、前記フィルタによってフィルタリングされた信号から得られる情報であってもよい。
【００１５】
前記情報取得手段と前記通過帯域幅特定手段とが取得する前記希望局に関する情報は、前記希望局の国を特定する国特定情報であり、
前記情報取得手段は、前記フィルタによってフィルタリングされた信号から得られる情報から前記国特定情報を取得するか、グローバル・ポジショニング・システムを用いて特定した前記電波の受信位置に基づいて国特定情報を取得する手段であり、
前記通過帯域幅特定手段は、前記フィルタによってフィルタリングされた信号から得られる情報から前記国特定情報を取得するか、グローバル・ポジショニング・システムを用いて特定した前記電波の受信位置に基づいて国特定情報を取得するか、前記情報取得手段から前記国特定情報を取得する手段であってもよい。
【００１６】
前記希望局の代替局をサーチするサーチ手段をさらに備え、
前記設定手段は、前記サーチ手段が前記希望局の代替局をサーチするときに、前記特定手段が特定した前記通過帯域幅を前記フィルタに設定する手段であってもよい。
【００１７】
前記フィルタは、中間周波数フィルタにより構成されてもよい。
【００１８】
前記フィルタ制御装置は、
前記受信した電波を周波数変換する周波数変換手段と、
前記周波数変換手段が周波数変換した信号をデジタル信号に変換するアナログ・デジタル変換手段と、
前記アナログ・デジタル変換手段が変換したデジタル信号をフィルタリングする前記フィルタと、
前記フィルタがフィルタリングした信号を復調する復調手段と、
前記復調手段が復調した信号を音声デジタル信号に変換する音声変換手段と、
前記音声変換手段が変換した音声デジタル信号をアナログ音声信号に変換するデジタル・アナログ変換手段と、をさらに備え、
前記受信した電波を周波数変換した信号は、前記アナログ・デジタル変換手段が変換したデジタル信号であってもよい。
【００１９】
前記フィルタ制御装置は、
前記電波を受信するアンテナをさらに備え、
前記周波数変換手段は、前記アンテナで受信した電波を周波数変換してもよい。
【００２０】
前記フィルタ制御装置は、
前記アナログ・デジタル変換手段が変換したアナログ音声信号を音声出力するスピーカをさらに備えてもよい。
【００２１】
本発明の第２の観点に係るフィルタ制御方法は、
受信した電波を周波数変換した信号をフィルタリングするフィルタに通過帯域幅を設定することにより、前記フィルタの通過帯域幅を制御するフィルタ制御方法であって、
前記フィルタによってフィルタリングされた信号から検出された希望局の変調度を取得し、取得した前記変調度をもとに前記フィルタに設定する前記通過帯域幅を特定する特定ステップと、
前記希望局の代替局をサーチするときに、前記特定ステップで特定した前記通過帯域幅を前記フィルタに設定する設定ステップと、
を備える。
【００２２】
本発明の第３の観点に係るフィルタ制御プログラムは、
受信した電波を周波数変換した信号をフィルタリングするフィルタに通過帯域幅を設定することにより、前記フィルタの通過帯域幅を制御するフィルタ制御方法をコンピュータに実行させるフィルタ制御プログラムであって、
前記フィルタによってフィルタリングされた信号から検出された希望局の変調度を取得し、取得した前記変調度をもとに前記フィルタに設定する前記通過帯域幅を特定する特定ステップと、
前記希望局の代替局をサーチするときに、前記特定ステップで特定した前記通過帯域幅を前記フィルタに設定する設定ステップと、
をコンピュータに実行させる。
【発明の効果】
【００２３】
本発明に係るフィルタ制御装置、フィルタ制御方法、及び、フィルタ制御プログラムによれば、ＡＦサーチするときに、フィルタの通過帯域幅をＡＦ局の変調度に応じて可変出来る。
【図面の簡単な説明】
【００２４】
【図１】本発明の第一実施形態に係るＩＦフィルタ制御装置の構成を示すブロック図である。
【図２】本発明の第一実施形態に係るＩＦフィルタ制御装置が行うＩＦフィルタ制御処理のフローの一例を示す図である。
【図３】本発明の第一実施形態に係るＩＦフィルタ制御装置が順次記録していく変調度の一例を示す図である。
【図４】本発明の第一実施形態に係るＩＦフィルタ制御装置が使用する最大変調度・通過帯域幅データテーブルの一例を示す図である。
【図５】本発明の第一実施形態に係るＩＦフィルタ制御装置が使用する希望局に関する情報・通過帯域幅データテーブルの一例を示す図である。
【図６】本発明の第一実施形態に係るＩＦフィルタ制御装置の制御部及び記憶部のハードウェア構成の一例を示す図である。
【図７】本発明の第二実施形態に係るＩＦフィルタ制御装置の構成を示すブロック図である。
【発明を実施するための形態】
【００２５】
本発明の実施形態について図面を参照して説明する。なお、本発明は下記の実施形態及び図面によって限定されるものではない。本発明の要旨を変更しない範囲で下記の実施形態及び図面に変更を加えることが出来るのはもちろんである。なお、以下では、フィルタをＩＦ（中間周波数）フィルタとして説明するが、フィルタはその他のフィルタであってもよい。フィルタは、ＡＦサーチするときに用いられ、受信した電波を周波数変換した信号をフィルタリングするものであればよい。
【００２６】
なお、本発明において、「国」は、地域を含むと定義する。
【００２７】
なお、本発明において、「ＲＤＳ」は、「ＲＤＢＳ」（ラジオ放送データ・システム）を適宜含む表現と定義する。
【００２８】
（第一実施形態）
図１を参照して、第一実施形態に係るＩＦフィルタ制御装置１の構成を説明する。
【００２９】
ＩＦフィルタ制御装置１は、アンテナ３と、Ｆ／Ｅ部５と、Ａ／Ｄ７と、ＩＦフィルタ９と、ＦＭ復調器１１と、受信状況検出部１３と、ＲＤＳ復調部１５と、制御部１７と、ＦＭ処理部１９と、Ｄ／Ａ２１と、スピーカ２３と、入力部２５と、記憶部２７と、を備える。ＩＦフィルタ制御装置１は、ラジオ受信機であり、受信した電波を周波数変換した信号をフィルタリングするＩＦフィルタ９に通過帯域幅を設定することにより、ＩＦフィルタ９の通過帯域幅を制御する機能を有するものである。また、ＩＦフィルタ制御装置１は、例えばラジオチューナ等であってもよい。
【００３０】
アンテナ３は、放送波等を含む信号（電波）を受信する。放送波は、ここではＦＭ放送波である。
【００３１】
Ｆ／Ｅ部５は、アンテナ３が受信した信号を中間周波数（ＩＦ：Intermediate Frequency）のＩＦ信号に変換する中間周波変換部である。例えば、Ｆ／Ｅ部５は、高周波増幅器と、周波数変換器と、中間周波増幅器と、を備える。アンテナ３が受信した信号は、高周波増幅器で増幅される。そして、増幅した信号を周波数変換器が所定の周波数の信号に変換する。さらに、周波数変換器によって変換した信号の中間周波を中間周波増幅器により増幅することにより、周波数変換器によって変換した信号をＩＦ信号に変換する。周波数変換器は、例えば、局部発振器と混合器とを備える。局部発信器は、制御部１７で制御されて所定の周波数の信号を発振する。混合器は、局部発振器からの信号（ｆLO）と高周波増幅器からの信号（ｆｃ）とを混合し、混合した信号を中間周波増幅器に渡す。Ｆ／Ｅ部５は、制御部１７によって制御される。特に、例えば上記の局部発振器が発振する信号（ｆLO）が制御される。Ｆ／Ｅ部５は、電波を周波数変換する周波数変換部である。
【００３２】
Ａ／Ｄ７は、アナログ・デジタル変換器である。Ａ／Ｄ７は、Ｆ／Ｅ部５で変換したＩＦ信号を２値化したデジタル信号に変換する。このデジタル信号は、受信した電波を周波数変換した信号の一例である。受信した電波を周波数変換した信号は、例えば、周波数変換したアナログ信号であってもよいし、このアナログ信号をデジタル変換したデジタル信号であってもよい。
【００３３】
ＩＦフィルタ９は、Ａ／Ｄ７が変換したデジタル信号から所定の周波数帯域の信号を取り出すためにＡ／Ｄ７が変換したデジタル信号をフィルタリングする。ＩＦフィルタ９が取り出す周波数帯域の幅、すなわち、ＩＦフィルタ９の通過帯域幅は、可変であり、制御部１７で制御される。
【００３４】
ＦＭ復調器１１は、ＩＦフィルタ９が取り出した信号をＦＭ復調信号に復調する。
【００３５】
受信状況検出部１３は、例えばＦＭ復調器１１が復調したＦＭ復調信号から受信状況（受信状況を示すデータ）を検出する。この検出の仕方は、公知の方法で実現可能である。受信状況は、例えば、電界強度（電界強度を示すデータ）、受信品質（ノイズ値等の受信品質を示すデータ）、及び、変調度（変調度を示すデータ）を含む。受信状況検出部１３は、電界強度検出部１３ａと、受信品質検出部１３ｂと、変調度検出部１３ｃと、を備える。受信状況検出部１３は、検出した受信状況を制御部１７に出力する。
【００３６】
電界強度検出部１３ａは、電界強度を検出する。電界強度は、例えばＦＭ復調信号の誤り率を用いて検出できる。電界強度は、ＲＤＳ復調部１５が復調したＲＤＳデータの誤り率等から検出してもよい。この場合、電界強度検出部１３ａは、エラー訂正等する前のＲＤＳデータをＲＤＳ復調部１５から取得する。
【００３７】
受信品質検出部１３ｂは、受信品質を検出する。この受信品質は、例えばＦＭ復調信号を用いて検出できる。
【００３８】
変調度検出部１３ｃは、ＦＭ復調信号の変調度を検出する。この変調度は、例えばＦＭ復調信号の周波数から検出できる。
【００３９】
ＲＤＳ復調部１５は、ＦＭ復調器１１が復調したＦＭ復調信号からＲＤＳデータを復調するとともに、このＲＤＳデータについて同期処理及びエラー訂正処理をし、処理したデータをＲＤＳデータとして制御部１７に出力する。
【００４０】
ＲＤＳ復調部１５と、受信状況検出部１３と、の機能の少なくとも一部の機能を制御部１７に持たせても良い。また、受信状況検出部１３は、受信状況の少なくとも一部をアナログ信号から取得してもよい。この場合、例えば、Ｆ／Ｅ部５から出力された信号は、Ａ／Ｄ７によってデジタル信号に変換される前にＩＦフィルタ９によってフィルタリングされる。その後に、フィルタリングされた信号がＦＭ復調器１１によって復調される。受信状況検出部１３は、この復調されたアナログ信号（アナログのＦＭ復調信号）を取得する。また、ＦＭ復調器１１によって復調された信号は、Ａ／Ｄ７によってデジタル信号に変換され、ＦＭ処理部１９とＲＤＳ復調部１５とは、Ａ／Ｄ７によって変換されたデジタル信号を取得する。また、受信状況検出部１３は、受信状況をデジタル信号として、制御部１７に出力する。
【００４１】
ＦＭ処理部１９は、ＦＭ復調器１１が復調したＦＭ復調信号にミュート、ステレオブレンド、ハイカット、及び、ディエンファシス等の各種ＦＭ処理を行う。これらＦＭ処理は、制御部１７により制御される。ＦＭ処理部１９は、ＦＭ復調器１１が復調した信号を音声デジタル信号に変換する音声変換部である。
【００４２】
Ｄ／Ａ２１は、デジタル・アナログ変換器であり、ＦＭ処理部１９が処理したデジタル信号をアナログ信号に変換する。
【００４３】
スピーカ２３は、Ｄ／Ａ２１が変換したアナログ信号を音声として出力する。
【００４４】
入力部２５は、ユーザが聞きたいＦＭ局の周波数を選択するものであり、選択されたＦＭ局の周波数である選局周波数（選局周波数を示すデータ）を制御部１７に出力する。
【００４５】
制御部１７は、入力部２５が出力した選局周波数、受信状況検出部１３が出力した受信状況、及び、ＲＤＳ復調部１５が出力したＲＤＳデータ等を取得する。制御部１７は、取得した、選局周波数、受信状況、及び、ＲＤＳデータ等を用いて、Ｆ／Ｅ部５の制御、ＩＦフィルタ９の制御、及び、ＦＭ処理部１９の制御等を行う。
【００４６】
制御部１７は、特定部１７ａと、設定部１７ｂと、サーチ部１７ｃと、を備える。特定部１７ａは、変調度取得部１７ａａと、情報取得部１７ａｂと、記録部１７ａｃと、通過帯域幅特定部１７ａｄと、を備える。そして、制御部１７は、ＩＦフィルタ９を制御する。特に制御部１７は、ＩＦフィルタ９の通過帯域幅を後述の処理によってＩＦフィルタ９に設定することによってＩＦフィルタ９を制御する。
【００４７】
記憶部２７は、制御部１７が行う後述の処理に使用されるデータ等を記憶する。記憶部２７は、制御部１７からアクセスされる。制御部１７は、後述の処理中に生成したデータや取得したデータを適宜記憶部２７に記録する。また、制御部１７は、後述の処理に使用するデータを記憶部２７から取得する。
【００４８】
図２乃至５を参照して、ＩＦフィルタ制御装置１のＩＦフィルタ制御処理（具体的には、制御部１７（特に制御部１７が備える特定部１７ａ）が行う処理）方法を詳細に説明する。
【００４９】
ＩＦフィルタ制御処理は、例えば、ＩＦフィルタ制御装置１の電源が入ったとき又はアンテナ３が電波を受信したときにスタートする。ＩＦフィルタ制御処理は、例えば、ＩＦフィルタ制御装置１の電源が切られたときに終了する。また、ＩＦフィルタ制御処理は、ユーザが入力部２５を操作することによって、視聴する放送番組（希望局）を変更した場合に、リスタートする。なお、後述の通過帯域幅と希望局に関する情報とが対応付けて記憶部２７に記録された場合、電源が切られても、及び、リスタートしても、両者は記憶部２７に記録されたままとなる。
【００５０】
特定部１７ａは、受信状況及びＲＤＳデータを監視する（ステップＳ１０１）。具体的には、特定部１７ａは、受信状況検出部１３から受信状況を取得する。また、特定部１７ａは、ＲＤＳ復調部１５からＲＤＳデータを取得する。特に、変調度取得部１７ａａは、変調度を取得する。変調度は、ＩＦフィルタ９によってフィルタリングされた信号から（変調度検出部１３ｃによって）検出された希望局の変調度である。また、情報取得部１７ａｂは、ＲＤＳデータから得られる希望局に関する情報（希望局に関する情報を示すデータ）を取得する。この希望局に関する情報は、例えばＩＦフィルタ９によってフィルタリングされた信号から得られた情報であり、例えば、ＲＤＳデータに含まれるＰＩコードの少なくとも一部を示すデータ（ＰＩコードそのものを示すデータであってもよい）であって、希望局を一意に特定できる希望局特定情報（希望局を示すデータ）である。
【００５１】
特定部１７ａは、取得した受信状況によって、現在の希望局の受信状態が良いか判断する（ステップＳ１０２）。例えば、特定部１７ａは、電界強度検出部１３ａから取得した電界強度及び受信品質の組合せが所定の基準を満たすか否かを判断する。所定の基準を満たす場合、希望局の受信状態は良い（ステップＳ１０２；ＹＥＳ）といえる。所定の基準を満たさない場合、希望局の受信状態が悪い（ステップＳ１０２；ＮＯ）といえる。
【００５２】
なお、電界強度及び受信品質の組合せが所定の基準を満たす場合は、例えば、電界強度が所定の閾値以上であり、及び又は、受信品質が所定の閾値未満である場合である。電界強度及び受信品質の組合せが所定の基準を満たさない場合は、例えば、電界強度が所定の閾値未満であり、及び又は、受信品質が所定の閾値以上である場合である。
【００５３】
特定部１７ａは、現在の希望局の受信状態が良いと判断した場合（ステップＳ１０２；ＹＥＳ）には、受信状況に含まれる変調度を記憶部２７に記録する（ステップＳ１０３）。なお、ステップＳ１０３乃至１０５では、特定部１７ａが備える記録部１７ａｃが処理を行っているため、これらのステップでは、記録部１７ａｃが処理を行っているとして説明する。ステップＳ１０３において、記録部１７ａｃは変調度取得部１７ａａから変調度を取得（記録する場合も含む）する。
【００５４】
なお、記録部１７ａｃが変調度を取得する他の例として、記録部１７ａｃは、所定の時間間隔における変調度の中で最も広い幅を持つ変調度を記憶部２７に記録してもよい。この場合、記録部１７ａｃは、所定の時間間隔の間、受信状態が良いことを条件（特定部１７ａがステップＳ１０１乃至Ｓ１０２と同様の処理を行う。）として、変調度取得部１７ａａから変調度を順次取得（例えば、一時的に記憶部２７に保持）し、取得した変調度の中から最大の幅を持つ変調度を特定し、特定した変調度を記憶部２７に記録する。
【００５５】
記録部１７ａｃは、記憶部２７に記録した変調度の数（サンプル数）が一定数以上になったかを判断する（ステップＳ１０４）。すなわち、記録部１７ａｃは、取得した変調度の数が一定数以上になったかを判断する。この判断基準となる変調度の数は、適宜決定できる（例えば５つ）。記録部１７ａｃは、記憶部２７に記録した変調度の数が一定数以上であれば（ステップＳ１０４；ＹＥＳ）、変調度のサンプル数が十分だとして、ステップＳ１０５の処理に進む。また、記録部１７ａｃは、記憶部２７に記録した変調度の数が一定数未満であれば（ステップＳ１０４；ＮＯ）、まだ変調度のサンプル数が少ないと判断することになる。この場合（ステップＳ１０４；ＮＯ）、特定部１７ａはＳ１０１の処理に戻る。
【００５６】
ステップＳ１０１乃至Ｓ１０４において、特定部１７ａは、変調度のサンプル数が一定数以上になるまで、変調度を順次取得していく。特に、繰り返し行われるステップＳ１０３等において、記録部１７ａｃは、図３のように、変調度のサンプル数が一定以上になるまで、変調度を記憶部２７に順次記録していくことで、変調度を順次取得する。
【００５７】
記録部１７ａｃは、最大変調度（最大変調度を示すデータ）を含む通過帯域幅（通過帯域幅を示すデータ）と、希望局に関する情報と、を対応付けて記録する（ステップＳ１０５）。
【００５８】
具体的には、例えば、記録部１７ａｃは、取得した（記憶部２７に記録した場合も含む）変調度（図３参照）の中から最大の幅の変調度である最大変調度を特定する。ここでは、図３のｆａ３が最大変調度であったとする。そして、記録部１７ａｃは、図４に示す最大変調度・通過帯域幅データテーブルを参照し、特定した最大変調度ｆａ３を含む通過帯域幅を特定する。例えば、最大変調度ｆａ３（例えば、４０ＫＨｚ．Ｄｅｖｉａｔｉｏｎ）が、ｆｃ≦ｆａ３＜ｆｄを満たす場合、記録部１７ａｃはｆ２を通過帯域幅として特定する。一方、記録部１７ａｃは、希望局に関する情報を情報取得部１７ａｂから取得する。そして、記録部１７ａｃは、特定した通過帯域幅と、取得した希望局に関する情報と、を記憶部２７に記録する。記録部１７ａｃは、通過帯域幅と希望局に関する情報とを対応付けて記録することにより、希望局に関する情報・通過帯域幅データテーブル（図５参照）を作成する。例えば、今回、希望局に関する情報がｃｃｃｃｃｃで、通過帯域幅がｆ２であったとすると、記録部１７ａｃは、これらを対応付けて、希望局に関する情報・通過帯域幅データテーブルに記録する（図５参照）。
【００５９】
このようにして、記録部１７ａｃは、変調度取得部１７ａａが取得した変調度を含む通過帯域幅と、情報取得部１７ａｂが取得した希望局に関する情報と、を対応付けて記憶部２７に記録する。
【００６０】
また、上記の変調度を含む通過帯域幅と、上記の希望局に関する情報と、を対応付けて記憶部２７に記録する他の例として、記録部１７ａｃは、上記で特定した最大変調度を通過帯域幅として特定し、そのまま、上記で取得した希望局に関する情報と対応付けて記録しても良い。すなわち、最大変調度を含む通過帯域幅は、最大変調度であってもよい。
【００６１】
なお、二回目以降に行われるステップＳ１０５の処理において、記録部１７ａｃは、上記の特定した通過帯域幅と上記の取得した希望局に関する情報とを、従前のものに上書きして記録する。これにより、記録部１７ａｃは、適した通過帯域幅を希望局に関する情報と対応付けて記録することができる。また、特定部１７ａは、ｎ回目（ｎは２以上）のステップＳ１０５においてステップＳ１０３で記録した変調度をリセットし、所定のサンプル数を記録するまで再度ステップＳ１０１乃至Ｓ１０４を行い、所定のサンプル数を記録した後、ｎ＋１回目のステップＳ１０５において、通過帯域幅と希望局に関する情報とを従前のものに上書きしてもよい。これにより、記録部１７ａｃは、適した通過帯域幅を希望局に関する情報と対応付けて記録することができる。記録部１７ａｃは、２回目以降のステップＳ１０５において、上記の上書きをしなくてもよい、すなわち、ステップＳ１０５の処理を行わなくても良い。
【００６２】
上記の説明で挙げた例（特にステップＳ１０３乃至Ｓ１０５に関する説明を参照）のように、記録部１７ａｃは、変調度取得部１７ａａが取得した変調度を複数回取得し、取得した変調度が一定数以上になったとき、取得した複数の変調度の中から最大の幅を持つ最大変調度を特定し、特定した最大変調度を含む通過帯域幅を情報取得部１７ａｂが取得した希望局に関する情報に対応付けて記録する。これにより、より適した通過帯域幅を希望局に関する情報に対応付けて記録できるので、ＡＦサーチするときにより適した通過帯域幅をＩＦフィルタ９に設定できる。
【００６３】
一方、特定部１７ａが希望局の受信状態が悪いと判断すると（ステップＳ１０２；ＮＯ）、代替局サーチ（ＡＦサーチ）が必要となるので、通過帯域幅特定部１７ａｄは、代替局サーチが出来るか判断する（ステップＳ１０６）。具体的には、例えば、通過帯域幅特定部１７ａｄは、ＲＤＳ復調部１５から取得したＲＤＳデータに含まれる代替周波数（代替周波数を示すデータ）のリストの取得を試みる。通過帯域幅特定部１７ａｄは、代替周波数のリストを取得できない場合、サーチ部１７ｃによるＡＦサーチが出来ないことになる（ステップＳ１０６；ＮＯ）。一方、通過帯域幅特定部１７ａｄは、代替周波数のリストを取得できた場合、サーチ部１７ｃによるサーチが出来ることになる（ステップＳ１０６；ＹＥＳ）。通過帯域幅特定部１７ａｄがＡＦサーチ出来ないと判断すると（ステップＳ１０６；ＮＯ）、特定部１７ａはステップＳ１０１の処理に戻る。
【００６４】
通過帯域幅特定部１７ａｄは、ＡＦサーチ出来ると判断すると（ステップＳ１０６；ＹＥＳ）、通過帯域幅と希望局に関する情報とが記憶部２７に対応付けて記録されているか判断する。具体的には、例えば、通過帯域幅特定部１７ａｄは、ステップＳ１０１で情報取得部１７ａｂが取得した希望局に関する情報を取得するか、ＲＤＳ復調部１５からＲＤＳデータを取得する。このようにして、通過帯域幅特定部１７ａｄは、ＩＦフィルタ９によってフィルタリングされた信号から得られる希望局に関する情報を取得する。通過帯域幅特定部１７ａｄは、取得したＲＤＳデータから希望局に関する情報を取得し、取得した希望局に関する情報（例えば、ｃｃｃｃｃｃ（図５参照））をキーにして、記憶部２７からこのキーに対応する通過帯域幅の取得を試みる。通過帯域幅特定部１７ａｄは、通過帯域幅（例えばｆ２（図５参照））を取得できた場合、通過帯域幅と希望局に関する情報とが記憶部２７に対応付けて記録されていると判断する（ステップＳ１０７；ＹＥＳ）。通過帯域幅特定部１７ａｄは、通過帯域幅を取得できなかった場合、通過帯域幅と希望局に関する情報とが記憶部２７に対応付けて記録されていないと判断する（ステップＳ１０７；ＮＯ）。
【００６５】
通過帯域幅特定部１７ａｄは、通過帯域幅と希望局に関する情報とが記憶部２７に対応付けて記録されていると判断する（ステップＳ１０７；ＹＥＳ）と、取得した通過帯域幅（つまり、記憶部２７に記録されている通過帯域幅）をもとにＩＦフィルタ９に設定する通過帯域幅（例えば、±４０ＫＨｚ）を特定する（ステップＳ１０８）。ＩＦフィルタ９に設定する通過帯域幅の幅は、取得した通過帯域幅と同じ幅であっても良いし、取得した通過帯域幅よりも予め設定された所定分だけ広い幅であってもよい。つまり、取得した通過帯域幅をもとに特定する、ＩＦフィルタ９に設定する通過帯域幅は、取得した通過帯域幅であってもよいし、取得した通過帯域幅よりも所定分だけ広い幅の通過帯域幅であってもよい。
【００６６】
上記の説明のように、通過帯域幅特定部１７ａｄは、サーチ部１７ｃが希望局の代替局をサーチするときに、希望局に関する情報を取得し、取得した希望局に関する情報に対応する通過帯域幅を記憶部２７から取得して、取得した通過帯域幅をもとにフィルタに設定する通過帯域幅を特定する（例えば、ステップＳ１０７乃至１０８における説明を参照）。
【００６７】
本実施形態におけるＩＦフィルタ制御装置１の特定部１７ａは、ＩＦフィルタ９によってフィルタリングされた信号から検出される希望局の変調度を取得する変調度取得部１７ａａと、希望局に関する情報を取得する情報取得部１７ａｂと、変調度取得部１７ａａが取得した変調度を含む通過帯域幅と情報取得部１７ａｂが取得した希望局に関する情報とを対応付けて記憶部２７に記録する記録部１７ａｃと、サーチ部１７ｃが希望局の代替局をサーチするときに、希望局に関する情報を取得し、取得した希望局に関する情報に対応する前記通過帯域幅を記憶部２７から取得して、取得した通過帯域幅をもとにフィルタに設定する通過帯域幅を特定する通過帯域幅特定部１７ａｄと、を備えるので、適切な通過帯域幅を特定することが出来る。そして、後述のように、設定部１７ｂは、特定部１７ａが特定した通過帯域幅をＩＦフィルタ９に設定するので、適切な通過帯域幅をＩＦフィルタ９に設定できる。
【００６８】
一方、通過帯域幅特定部１７ａｄは、通過帯域幅と希望局に関する情報とが記憶部２７に対応付けて記録されていないと判断する（ステップＳ１０７；ＮＯ）と、希望局に対応付けて記録した通過帯域幅がないので、予め定められた通過帯域幅をＩＦフィルタ９に設定する通過帯域幅と特定する（ステップＳ１０９）。この通過帯域幅は、例えば、±１２０ＫＨｚとする。
【００６９】
通過帯域幅特定部１７ａｄが通過帯域幅を特定すると、設定部１７ｂは、ステップＳ１０８又はＳ１０９で通過帯域幅特定部１７ａｄが特定した通過帯域幅を取得し、取得した通過帯域幅をＩＦフィルタ９に設定する（ステップＳ１１０）。また、設定部１７ｂが通過帯域幅をＩＦフィルタ９に設定すると、サーチ部１７ｃは、ＡＦサーチを開始する（ステップＳ１１０）。
【００７０】
サーチ部１７ｃは、ＡＦサーチの開始後、受信状態が一定以上の代替局があるかを判断する（ステップＳ１１１）。具体的には、例えば、サーチ部１７ｃは以下のようにして受信状態の良い代替局があるかを判断する。
【００７１】
サーチ部１７ｃは、ステップＳ１０６で通過帯域幅特定部１７ａｄが取得した代替周波数リストを通過帯域幅特定部１７ａｄから取得し、代替周波数リストにある代替周波数を適宜の方法で選択する。例えば、サーチ部１７ｃは、代替周波数を代替周波数リストの一番目から選択していく。そして、サーチ部１７ｃは、代替周波数に応じてＦ／Ｅ部５を制御する。Ｆ／Ｅ部５は、サーチ部１７ｃの制御に基づいて所定の周波数により、アンテナ３で受信した電波を周波数変換する。周波数変換された信号は、Ａ／Ｄ７、ＩＦフィルタ９、及び、ＦＭ復調器１１で変換され、変換された信号は、受信状況検出部１３及びＲＤＳ復調部１５に入力される。受信状況検出部１３及びＲＤＳ復調部１５は、入力された信号からそれぞれ受信状況及びＲＤＳデータをそれぞれ検出及び復調する。サーチ部１７ｃは、受信状況検出部１３が検出した受信状況を取得する。そして、サーチ部１７ｃは、取得した受信状況によって、代替周波数における代替局の受信状態が良いか判断する。この判断の手法は、ステップＳ１０２における判断に準じる。受信状態が悪い場合、サーチ部１７ｃは、代替周波数リストにある他の代替周波数を選択し、前記の処理をもう一度行う。このようにして、サーチ部１７ｃは、代替局の受信状態が良いと判断するか（つまり、受信状態の良い代替局を見つけるまでか）、代替周波数リストにある全ての代替局について受信状態を判断して全ての代替局の受信状態が悪いと判断するまで、前記の処理を行う。サーチ部１７ｃは、受信状態の良い代替局を見つけた場合は、受信状態が一定以上の代替局があると判断する（ステップＳ１１１；ＹＥＳ）。サーチ部１７ｃは、全ての代替局の受信状態が悪いと判断すると、受信状態が一定以上の代替局がないと判断する（ステップＳ１１１；ＮＯ）。このようにして、サーチ部１７ｃは、希望局の代替局をサーチする。
【００７２】
サーチ部１７ｃは、受信状態が一定以上の代替局があると判断すると（ステップＳ１１１；ＹＥＳ）、希望局を代替局に切り換える（ステップＳ１１２）。具体的には、例えば、サーチ部１７ｃは、代替局の周波数に基づいてＦ／Ｅ部５を制御する。これにより、ＩＦフィルタ制御装置１のＡＦサーチ及び希望局から代替局への切り替えの処理（ＩＦフィルタ制御処理）が終了したことになり、この処理の最初（ステップＳ１０１）に戻る。
【００７３】
受信状態が一定以上の代替局がないとサーチ部１７ｃが判断すると（ステップＳ１１１；ＮＯ）、特定部１７ａは、ステップＳ１０１に戻って処理を行う。この場合、ＩＦフィルタ制御装置１のＡＦサーチ及び希望局から代替局への切り替えの処理（ＩＦフィルタ制御処理）が失敗したことになる。
【００７４】
なお、ＩＦフィルタ９が、１〜ｍ個の多段ＩＦフィルタ等によって構成されている場合は、制御部１７は、１からｍのうちのどのＩＦフィルタを選択するかを上記と同様の方法で決定し、ＩＦフィルタ９が、前記で決定したＩＦフィルタを用いてフィルタリングすることによって、ＩＦフィルタ９を制御してもよい。この場合、例えば上記データテーブルの通過帯域幅が１〜ｍのうちのいずれかの番号に置き換わる。つまり、特定部１７ａ（通過帯域幅特定部１７ａｄ）が特定する通過帯域幅の一例として、特定する通過帯域幅は、１〜ｍの番号であってもよい。このようにして、制御部１７は、受信した電波を周波数変換した信号をフィルタリングするＩＦフィルタ９に通過帯域幅を設定して、ＩＦフィルタ９の通過帯域幅を制御してもよい。
【００７５】
上記で説明したように、本実施形態における特定手段１７ａは、ＩＦフィルタ９によってフィルタリングされた信号から検出された希望局の変調度を取得し、取得した変調度をもとにＩＦフィルタ９に設定する通過帯域幅を特定する（例えばステップＳ１０１乃至ステップＳ１０９における説明を参照）。また、設定部１７ｂは、サーチ部１７ｃが希望局の代替局をサーチするときに、特定手段１７ａが特定した通過帯域幅をＩＦフィルタ９に設定する（例えばステップＳ１１０における説明を参照）。
【００７６】
このように、ＩＦフィルタ制御装置１は、ＩＦフィルタ９によってフィルタリングされた信号から検出された希望局の変調度をもとに、通過帯域幅を特定し、ＩＦフィルタ９にこの通過帯域幅を設定するので、希望局の変調度に応じた通過帯域幅をＩＦフィルタ９に設定出来る。このため、ＩＦフィルタ制御装置１は、ＡＦサーチするときに、フィルタの通過帯域幅をＡＦ局の変調度に応じて可変出来ることになる。また、本実施形態のＩＦフィルタ制御装置１によれば、代替局の変調度に適したＩＦフィルタ９の通過帯域幅で代替局のチェックができるので、例えば、代替局の１００又は２００ＫＨｚ隣に隣接妨害局があっても代替局のノイズが大きくなることを軽減又は防止できる。これにより、代替局の受信状態のチェックのときの、受信状態の閾値（例えばノイズの閾値）を甘く設定しなくても、隣接妨害を受けているが、ＩＦフィルタ９の通過帯域幅を狭く設定すれば充分視聴可能な代替局に切り替えることが出来る。また、上記の閾値を甘く設定しなくてよいので、受信状態の悪い代替局への切り替えも軽減又は防止できる。さらに、変調度の高い代替局の受信状態をチェックする場合でも、代替局の変調度よりも狭い通過帯域幅をＩＦフィルタ９に設定してしまい、代替局が歪んだ状態になって代替局の受信状態をチェックしてしまうという不都合を防止又は軽減できる。
【００７７】
Ｆ／Ｅ部５と、Ａ／Ｄ７と、ＩＦフィルタ９と、ＦＭ復調器１１と、受信状況検出部１３と、ＲＤＳ復調部１５と、制御部１７と、ＦＭ処理部１９と、Ｄ／Ａ２１と、は、回路及び又はＩＣ等の一以上の組合せにより構成される。Ｆ／Ｅ部５と、Ａ／Ｄ７と、ＩＦフィルタ９と、ＦＭ復調器１１と、受信状況検出部１３と、ＲＤＳ復調部１５と、制御部１７と、ＦＭ処理部１９と、Ｄ／Ａ２１と、のうちの一又は複数の組合せは、一以上のＣＰＵ等によって構成しても良い。また、記憶部２７は、ＲＡＭ（Random Access Memory）、ＲＯＭ（Read Only Memory）、フラッシュメモリ等の記憶装置の一以上の組合せによって構成される。記憶部２７等の各部の機能の少なくとも一部は、ネットワーク等を介してＩＦフィルタ制御装置１と通信可能な外部の装置が有していても良い。また、ＩＦフィルタ制御装置１は、互いに通信可能な複数の装置からなっていても良い。
【００７８】
図６を参照して、図１に示す制御部１７及び記憶部２７のハードウェア構成の一例を説明する。この例では、制御部１７はＣＰＵ（中央演算処理装置）５０により構成され、記憶部２７はＲＡＭ５１及びフラッシュメモリ５２によって構成される。フラッシュメモリ５２には、ＩＦフィルタ制御プログラムと、上記で用いるデータテーブル等の各種データとが格納される。ＩＦフィルタ制御プログラムは、ＲＡＭ５１に展開される。ＲＡＭ５１には、ＣＰＵ５０の計算領域が設けられる。ＣＰＵ５０は、ＲＡＭ５１に展開されたＩＦフィルタ制御プログラムに従い、フラッシュメモリ５２に記録されたデータ及びＲＡＭ５１の計算領域等を用いて、上記ＩＦフィルタ制御処理を行う。ＩＦフィルタ制御プログラムは、ＯＳ（Operating System）と協働して、ＣＰＵ５０に上記ＩＦフィルタ制御処理を行わせるものであっても良い。また、ＩＦフィルタ制御プログラムは、ネットワークを介したダウンロード又はＣＤ−ＲＯＭ、ＤＶＤ−ＲＯＭ、フレキシブルディスク、フラッシュメモリ等の持ち運び可能な情報記憶媒体によるインストール等により、フラッシュメモリ５２に格納してもよい。ＩＦフィルタ制御プログラムを記憶した、コンピュータ読み取り可能な記憶媒体（ＲＡＭ、ＲＯＭ、フラッシュメモリ、又は、持ち運び可能情報記憶媒体等）は、コンピュータが読み取り可能なプログラム製品となる。
【００７９】
（第二実施形態）
図７を参照して、本発明の第二実施形態に係るＩＦフィルタ制御装置等を説明する。図７のように、ＩＦフィルタ制御装置１００と、第一実施形態に係るＩＦフィルタ制御装置１とは、略同様の構成であるが、ＩＦフィルタ制御装置１００は、さらに、ＧＰＳ（グローバル・ポジショニング・システム）１２０を備える。なお、図７において、図１の部材に対応する部材には、図１と同じ符号を付している。そして、第一実施形態における希望局に関する情報は、希望局の国を特定する国特定情報（国特定情報を示すデータ）から構成される。国特定情報は、例えば、国コード（国コードを示すデータ）又は国名（国名を示すデータ）等である。
【００８０】
情報取得部１１７ａｂは、この国特定情報を、例えば、ＩＦフィルタ９によってフィルタリングされた信号から得られる情報（ＲＤＳデータ）から取得する。この場合、情報取得部１１７ａｂは、例えば、ＲＤＳ復調部１５からＲＤＳデータを取得し、ＲＤＳデータの中からこのデータに含まれる国コードを取得する。また、情報取得部１１７ａｂは、例えば、グローバル・ポジショニング・システムを用いて特定した前記電波の受信位置に基づいて国特定情報を取得してもよい。この場合、情報取得部１１７ａｂは、例えば、ＧＰＳ１２０から現在位置（つまり電波の受信位置）を示すデータを取得し、取得したデータから所定のテーブル等を参照して、受信位置の国特定情報を取得する。
【００８１】
通過帯域幅特定部１１７ａｄは、情報取得部１１７ａｂと同様の方法により、この国特定情報を、例えば、ＩＦフィルタ９によってフィルタリングされた信号から得られる情報（ＲＤＳデータ）から取得する。また、通過帯域幅特定部１１７ａｄは、情報取得部１１７ａｂと同様の方法により、例えば、グローバル・ポジショニング・システムを用いて特定した前記電波の受信位置に基づいて国特定情報を取得してもよい。また、通過帯域幅特定部１１７ａｄは、情報取得部１１７ａｂから国特定情報を取得してもよい。
【００８２】
なお、通過帯域幅特定部１１７ａｄは、希望局に関する情報と通過帯域幅とを対応付けて記録したデータテーブル中の希望局に関する情報である国特定情報と同種の国特定情報を取得するとよい。例えば、通過帯域幅特定部１１７ａｄは、情報取得部１１７ａｂが取得する国特定情報と同じ種類の国特定情報を取得するとよい。例えば、情報取得部１１７ａｂが取得する国特定情報又は上記データテーブル中の国特定情報が国コードであった場合、通過帯域幅特定部１１７ａｄは、国コードを取得する。
【００８３】
第二実施形態のその他の処理等の説明は、第一実施形態に準じるので説明を省略する。希望局に関する情報を国特定情報に特定して考えればよい。また、なお、制御部１１７、特定部１１７ａ、変調度取得部１１７ａａ、記録部１１７ａｃ、設定部１１７ｂ、及び、サーチ部１１７ｃは、それぞれ、図１の、制御部１７、特定部１７ａ、変調度取得部１７ａａ、記録部１７ａｃ、設定部１７ｂ、及び、サーチ部１７ｃに対応する。
【符号の説明】
【００８４】
１、１００              ＩＦフィルタ制御装置
３                      アンテナ
５                      Ｆ／Ｅ部
７                      Ａ／Ｄ
９                      ＩＦフィルタ
１１                    ＦＭ復調器
１３                    受信状況検出部
１３ａ                  電界強度検出部
１３ｂ                  受信品質検出部
１３ｃ                  変調度検出部
１５                    ＲＤＳ復調部
１７、１１７            制御部
１７ａ、１１７ａ        特定部
１７ａａ、１１７ａａ    変調度取得部
１７ａｂ、１１７ａｂ    情報取得部
１７ａｃ、１１７ａｃ    記録部
１７ａｄ、１１７ａｄ    通過帯域幅特定部
１７ｂ、１１７ｂ        設定部
１７ｃ、１１７ｃ        サーチ部
１９                    ＦＭ処理部
２１                    Ｄ／Ａ
２３                    スピーカ
２５                    入力部
２７                    記憶部
５０                    ＣＰＵ
５１                    ＲＡＭ
５２                    フラッシュメモリ
１２０                  ＧＰＳ
【図１】
2010183371.tif 000003
【図２】
2010183371.tif 000004
【図３】
2010183371.tif 000005
【図４】
2010183371.tif 000006
【図５】
2010183371.tif 000007
【図６】
2010183371.tif 000008
【図７】
2010183371.tif 000009